(57)【要約】【課題】情報機器に関して、煩雑な操作を行うことなく簡便に複数の機能設定項目に対する設定を行うことができる技術を提供する。【解決手段】情報機器１００は、設定値決定用アンケートを表示する表示部５と、当該設定値決定用アンケートに対する回答操作を受け付ける操作部６と、当該回答操作に基づいて複数の機能設定項目に対する設定値を決定する制御部４とを備えている。本情報機器１００では、設定値決定用アンケートに対する回答操作に基づいて複数の機能設定項目に対する設定値が決定されるため、ユーザは、親和性の高いアンケートに回答するだけで煩雑な操作を行うことなく簡便に複数の機能設定項目に対する設定を行うことができる。【選択図】図１
2007226694.tif 000002
【特許請求の範囲】
【請求項１】
アンケートを表示する表示部と、
前記アンケートに対する回答操作を受け付ける操作部と、
複数の機能設定項目に対する設定値を前記回答操作に基づいて決定する設定値決定部と
を備える、情報機器。
【請求項２】
請求項１に記載の情報機器であって、
前記表示部は、前記設定値決定部で決定された前記設定値を表示する、情報機器。
【請求項３】
請求項２に記載の情報機器であって、
前記操作部は、前記表示部に表示されている前記設定値に対する修正操作を受け付け、
前記設定値決定部は、決定した前記設定値を前記修正操作に応じて修正する、情報機器。
【請求項４】
請求項２及び請求項３のいずれか一つに記載の情報機器であって、
前記機能設定項目の説明を記憶する記憶部をさらに備え、
前記表示部は、前記設定値とともに前記機能設定項目の説明を表示する、情報機器。
【請求項５】
請求項２乃至請求項４のいずれか一つに記載の情報機器であって、
前記操作部が受け付けた前記回答操作に対応する性格診断コメントを取得する性格診断コメント取得部をさらに備え、
前記表示部は、前記設定値とともに前記性格診断コメントを表示する、情報機器。
【発明の詳細な説明】
【技術分野】
【０００１】
本発明は、複数の機能設定項目を有する情報機器に関する。
【背景技術】
【０００２】
携帯電話機やＰＤＡ（Personal Digital Assistants）などの情報機器においては、ユーザの利便性を高める目的で、表示画面色の設定、セキュリティ設定、着信音量設定など、様々な機能設定を行うことができ、ユーザは希望に応じた情報機器のカスタマイズが可能である。
【０００３】
特許文献１，２には、携帯電話機等の通信端末装置のカスタマイズに関する技術が記載されている。
【０００４】
【特許文献１】特開平１１−３３１４３６号公報
【特許文献２】特開２００４−３４２０４４号公報
【発明の開示】
【発明が解決しようとする課題】
【０００５】
従来の情報機器においては、多種多様な機能設定項目を備えるにもかかわらず、入力キーデバイス数が少ない等、入力操作に関しての利便性が制限されており、またディスプレイには一時に表示可能な文字数も制限されているため、多種多様な機能設定項目の説明を一時に表示することができないという不利な一面が存在する。そのため、ユーザは、取り扱い説明書に記載されている内容を理解した上で、膨大な機能設定項目に対する希望の設定値を順次入力する必要がある。したがって、複数の機能設定を行うためには操作が非常に煩雑となる。
【０００６】
そこで、本発明は上述の問題に鑑みて成されたものであり、情報機器に関して、煩雑な操作を行うことなく簡便に複数の機能設定項目に対する設定を行うことができる技術を提供することを目的とする。
【課題を解決するための手段】
【０００７】
この発明の情報機器は、アンケートを表示する表示部と、前記アンケートに対する回答操作を受け付ける操作部と、複数の機能設定項目に対する設定値を前記回答操作に基づいて決定する設定値決定部とを備える。
【発明の効果】
【０００８】
この発明の情報機器によれば、アンケートに対する回答操作に基づいて複数の機能設定項目に対する設定値が決定されるため、ユーザは、親和性の高いアンケートに回答するだけで煩雑な操作を行うことなく簡便に複数の機能設定項目に対する設定を行うことができる。
【発明を実施するための最良の形態】
【０００９】
図１は本発明の実施の形態に係る情報機器１００の構成を示すブロック図である。本実施の形態に係る情報機器１００は、例えば携帯電話機であって、アンテナ１と、送信部２と、受信部３と、制御部４と、表示部５と、操作部６と、記憶部７と、マイク８と、スピーカ９と、ＬＥＤランプ１０とを備えている。
【００１０】
アンテナ１は、携帯電話システムの基地局から出力される電波を受信信号に変換して受信部３に出力する。また、アンテナ１は、送信部２から出力される送信信号を送信電波に変換して基地局に出力する。
【００１１】
送信部２は、制御部４から出力されるアナログ形式の送信信号を増幅し、その後、周波数変換してアンテナ１に出力する。受信部３は、アンテナ１から受け取った受信信号を増幅し、その後、制御部４で処理できる周波数までに周波数変換して制御部４に出力する。
【００１２】
表示部５は、例えば、液晶パネルやＥＬ（Electro Luminescence）パネルを有するディスプレイであって、制御部４による制御によって各種情報を表示する。操作部６は、複数の操作キーで構成されており、ユーザによる各種操作を受け付けて、制御部４にその操作情報を出力する。ＬＥＤランプ１０は、制御部４による制御によって、点滅したり点灯したりする。例えば、ＬＥＤランプ１０は、着信時に点滅したり、充電時に点灯したりする。
【００１３】
マイク８は入力される音を音データに変換して制御部４に出力する。スピーカ９は、制御部４から出力される音データを音に変換して外部に出力する。
【００１４】
記憶部７はＲＡＭ（Random Access Memory）及びＲＯＭ（Read Only Memory）で構成されている。記憶部７は、ＲＯＭ内に制御部４の動作プログラムや着信音等の音データ、あるいは各種機能設定項目に対する設定値の初期値（リカバリ値）、例えば電話着信音量設定に対する設定値や登録外着信拒否設定に対する設定値の初期値などを記憶している。また、記憶部７は、ＲＡＭ内に電話帳データや各種機能設定項目の現在の設定値などを記憶する。
【００１５】
制御部４は、ＣＰＵ等で構成されており、本情報機器１００に含まれる他の構成要素の動作を主に制御する。制御部４は、受信部３から受け取ったアナログ形式の受信信号をデジタル形式に変換して復調処理を行い、当該受信信号から音データや画像データなどの各種情報を取り出す。そして、制御部４は、取得した情報に基づいて各種動作を行う。例えば、制御部４は、受信信号に含まれる音データをスピーカ９に出力したり、画像データを記憶部７に記憶したり表示部５に表示させたりする。また、制御部４は、記憶部７に予め記憶されている音データをスピーカ９に出力して、電話着信音やメール着信音をスピーカ９に出力させたりする。また、制御部４は、マイク８から受け取った音信号に基づいて変調処理を行い、ディジタル形式の送信信号を生成し、その後、送信信号をアナログ形式に変換して送信部２に出力する。
【００１６】
本実施の形態に係る情報機器１００では、複数の機能設定項目に対する設定値を決定するためのアンケート（以後、「設定値決定用アンケート」と呼ぶ）を表示部５に表示することができる。そして、ユーザが操作部６を操作して、設定値決定用アンケートに対する回答を入力すると、制御部４は、当該回答に基づいて各種機能設定項目に対する設定値を決定する。これにより、ユーザは、取り扱い説明書を参照することなく複数の機能設定項目に対する設定を行うことができる。その結果、煩雑な操作を行うことなく簡便に複数の機能設定項目に対する設定を行うことができる。以下に、このことについて詳細に説明する。
【００１７】
図２は制御部４及び記憶部７における機能ブロックの構成を示す図である。図２に示されるように、制御部４は、他の構成要素を制御するメイン制御部４０と、表示部５を制御する表示制御部４１と、性格診断コメント取得部４２と、複数の機能設定項目に対する設定値を決定する設定値決定部４３とを備えている。記憶部７は、アンケート関連情報記憶部７０と、コメント情報記憶部７１と、設定情報記憶部７２とを備えている。
【００１８】
図３，４はそれぞれアンケート関連情報記憶部７０及び設定情報記憶部７２の構成を示す図である。本実施の形態では、表示部５に表示する設定値決定用アンケートは、Ｎ（≧２）個の質問で構成されており、これらのＮ個の質問にはＮｏ．１〜Ｎｏ．Ｎまでの番号は付与されている。図３に示されるように、アンケート関連情報記憶部７０は、質問ごとに記憶領域７０ａ〜７０ｃを有している。記憶領域７０ａ〜７０ｃの各組においては、記憶領域７０ａでは質問番号を示すデータが記憶され、記憶領域７０ｂでは質問内容を示す質問パターンデータが記憶され、記憶領域７０ｃでは関連付けデータが記憶される。ここで、関連付けデータとは、ユーザによって入力された質問の回答と、機能設定項目に対する設定値とを関連付けるデータ、言い換えれば、質問の回答と機能設定項目に対する設定値とがどのように関連しているのかを示すデータであり、その詳細例については後述する。記憶領域７０ａ〜７０ｃに対しては、データの書き換えはできず、データの読み出しのみが可能となっている。
【００１９】
設定情報記憶部７２は、図４に示されるように、機能設定項目ごとに記憶領域７２ａ〜７２ｄを有している。記憶領域７２ａ〜７２ｄの各組においては、記憶領域７２ａでは機能設定項目の名称を示すデータが記憶され、記憶領域７２ｂでは当該名称の機能設定項目に対する現在の設定値を示すデータが記憶され、記憶領域７２ｃでは当該名称の機能設定項目に対する設定値の候補を示す設定値候補データが記憶され、記憶領域７２ｄでは当該名称の機能設定項目の説明を示すヘルプデータが記憶される。記憶領域７２ａ，７２ｄに対してはデータの書き換えはできず、データの読み出しのみが可能となっている。一方で、記憶領域７２ｂ，７２ｃに対してはデータの書き換え及び読み出しの両方が可能となっている。
【００２０】
図４に示される例では、登録外着信拒否設定に対する現在の設定値は「ＯＦＦ」となっており、登録されていない電話番号からの着信であっても通話可能な設定となっている。また、伝言メモ移行時間設定に対する現在の設定値は「６０秒」となっており、着信してから６０秒間受話操作を行わなかった場合には伝言メモ機能が起動する設定になっている。また、充電確認ランプ色設定に対する現在の設定値は「ブルー」となっており、本情報機器１００を充電した際にはＬＥＤランプ１０が青色に点灯する設定となっている。
【００２１】
アンケート関連情報記憶部７０における記憶領域７０ｂ内の質問パターンデータは、メイン制御部４０によって読み出されて、表示制御部４１に入力される。表示制御部４１は質問パターンデータに基づいて表示部５を制御し、当該表示部５に設定値決定用アンケートの質問内容を表示させる。操作部６が、ユーザによる設定値決定用アンケートに対する回答操作を受け付けると、当該回答操作の情報はメイン制御部４０を介して設定値決定部４３に入力される。記憶領域７０ｃ内の関連付けデータは、設定値決定部４３によって読み出され、設定値決定部４３は、関連付けデータと、設定値決定用アンケートに対する回答操作の情報とを使用した所定のアルゴリズム演算を行って機能設定項目に対する設定値を決定する。設定値決定部４３で決定された設定値の情報は、設定値候補データとして設定情報記憶部７２の記憶領域７２ｃに記憶されるとともに表示制御部４１に入力され、表示制御部４１は、当該設定値の一覧を表示部５に表示させる。なお、機能設定項目に対する設定値の決定方法の詳細については後述する。
【００２２】
操作部６は、表示している設定値に対するユーザによる変更操作を受け付けることが可能である。操作部６によって当該変更操作が受け付けられると、メイン制御部４０は当該変更操作の情報に基づいて記憶領域７２ｃ内の現在の設定値候補データを変更後の設定値を示すデータに書き換えるとともに、変更後の設定値を表示制御部４１を介して表示部５に表示させる。その後、ユーザによって、表示されている内容で設定値を確定する操作が操作部６に対して行われると、メイン制御部４０は記憶領域７２ｃ内の設定値候補データを記憶領域７２ｂ内のデータに上書きする。これにより、本情報機器１００内での各種機能設定項目に対する設定値の変更が確定し、その後、制御部４は変更後の設定値に基づいて動作を行う。
【００２３】
また、設定値を表示している際に操作部６に対して所定の操作が行われると、記憶領域７２ｄ内のヘルプデータはメイン制御部４０によって読み出されて、メイン制御部４０はヘルプデータを表示制御部４１に入力する。表示制御部４１はヘルプデータに基づいて表示部５を制御し、当該表示部５に機能設定項目の説明を表示させる。例えば、図４に示されるような「登録外着信拒否設定」の説明としては、「登録されていない電話番号からの着信であれば通話不可能とする」といった内容を表示部５が表示する。
【００２４】
記憶部７におけるコメント情報記憶部７１は、設定値決定用アンケートに対する各種回答に対応した複数種類の性格診断コメントの情報を記憶している。この性格診断コメントは、設定値決定用アンケートに対して回答を行ったユーザの性格診断結果を示す内容であって、機能設定項目に対する設定値とは直接関係のないものである。コメント情報記憶部７１内の性格診断コメントの情報は性格診断コメント取得部４２によって読み出されて、メイン制御部４０を介して表示制御部４１に入力され、表示制御部４１によって、設定値決定部４３が決定した機能設定項目に対する設定値とともに性格診断コメントが表示部５に表示される。
【００２５】
次に、本実施の形態に係る情報機器１００における機能設定方法について詳細に説明する。図５は本実施の形態に係る情報機器１００での機能設定方法を示すフローチャートである。図５に示されるように、ステップｓ１において、ユーザが操作部６に対して所定の操作を行うと、その操作情報がメイン制御部４０に入力され、メイン制御部４０はアンケート設定システムを起動させるためのメニューを表示制御部４１を介して表示部５に表示する。そして、ステップｓ２において、ユーザが当該メニューを選択する操作を操作部６に対して行うと、その操作情報がメイン制御部４０に入力されて、メイン制御部４０は記憶部７内の所定のプログラムを読み出して実行し、アンケート設定システムを起動する。
【００２６】
アンケート設定システムが起動されると、ステップｓ３において、メイン制御部４０は、設定値決定用アンケートにおいて一番最初に表示する質問に対応した質問パターンデータをアンケート関連情報記憶部７０から読み出して表示制御部４１に出力し、表示制御部４１は受け取った質問パターンデータに基づいて表示部５を制御する。これにより、表示部５には、設定値決定用アンケートにおける一番最初の質問が表示される。
【００２７】
次にステップｓ４において、表示された質問に対する回答操作がユーザによって操作部６に対して行われると、その回答操作の情報がメイン制御部４０に入力され、メイン制御部４０は当該情報を設定値決定部４３に入力する。そして、ステップｓ５において、メイン制御部４０は設定値決定用アンケートにおけるすべての質問に対する回答操作が入力されたか否かを判断し、入力されていなければ、再度ステップｓ３が実行され、次の質問が表示部５に表示される。
【００２８】
図６は設定値決定用アンケートの表示例を示す図である。図６に示されるように、例えば、表示部５の表示画面５ａには、質問内容１５０と、当該質問内容１５０に対する回答を入力するための回答ボタン１５１ｎ，１５１ｙと、これらの回答ボタン１５１ｎ，１５１ｙを選択するための矢印カーソル１５２とが表示される。回答ボタン１５１ｙには「Ｙｅｓ」の文字が表示されており、回答ボタン１５１ｎには「Ｎｏ」の文字が表示されている。矢印カーソル１５２は、表示画面５ａ内を移動して、回答ボタン１５１ｎ，１５１ｙを示すことが可能である。ユーザは操作部６を操作することによって、回答ボタン１５１ｎ，１５１ｙのうち自身の回答に対応したボタンを矢印カーソル１５２が示すように当該矢印カーソル１５２を移動させ、その後、当該ボタンを選択する操作を操作部６に対して行う。そうすると、その操作情報がメイン制御部４０を介して設定値決定部４３に入力される。その後、次の質問内容１５０が表示画面５ａに表示され、回答ボタン１５１ｎ，１５１ｙのどちらかを選択する操作が操作部６に対して行われると、その操作情報が設定値決定部４３に入力される。このようにして、設定値決定部４３には、質問に対する回答情報が順次入力され、設定値決定部４３は設定値決定用アンケートに対するユーザの回答を認識することができる。
【００２９】
図６の例においては、左端と右端の表示画面５ａでは回答ボタン１５１ｙが選択され、中央の表示画面５ａでは回答ボタン１５１ｎが選択されている。選択されたボタンについては表示色と大きさが変化する。表示画面５ａに表示する質問内容１５０の順番については、常に一定であっても良いし、アンケート設定システムを起動するたびにランダムに変更しても良い。
【００３０】
図５を参照して、一方で、ステップｓ５において、設定値決定用アンケートにおけるすべての質問に対する回答操作が入力されたと判断されると、つまり設定値決定用アンケートに対する回答が終了すると、ステップｓ６において、設定値決定部４３は、複数の機能設定項目に対する設定値を決定する。ステップｓ６では、まず、設定値決定部４３は、受け取った質問の回答に対応する関連付けデータをアンケート関連情報記憶部７０から読み出す。そして、設定値決定部４３は、取得した関連付けデータに基づいて複数の機能設定項目に対する設定値を決定する。その後、設定値決定部４３は、決定した当該設定値の情報をメイン制御部４０に入力し、メイン制御部４０は、当該設定値の情報を設定値候補データとして設定情報記憶部７２に記憶する。なお、この時点では、決定された設定値はあくまでも候補であって、本情報機器１００の動作には反映されない。
【００３１】
さらにステップｓ６では、性格診断コメント取得部４２が、ユーザによって入力された設定値決定用アンケートに対する回答に応じた性格診断コメントの情報をコメント情報記憶部７１から読み出して取得し、メイン制御部４０に出力する。
【００３２】
次にステップｓ７では、メイン制御部４０は、ステップｓ６で受け取った設定値の情報と性格診断コメントの情報とを表示制御部４１に入力し、表示制御部４１は表示部５に設定値の一覧を表示させるとともに、性格診断コメントを表示させる。
【００３３】
図７は性格診断コメント及び設定値一覧の表示例を示す図である。図７に示されるように、例えば、表示画面５ａの上方の表示領域２００には、性格診断コメント２０５が表示される。また、表示画面５ａの下方の表示領域２０１には、ステップｓ６で決定された設定値の一覧が表示される。本例では、表示領域２０１には、機能設定項目ごとに、その名称２１０と、それに対応する設定値を示すチェックボタン２１１とが横に並んで表示される。チェックボタン２１１が塗りつぶされていれば、それに対応する機能が実行され得る状態であって、塗りつぶされていなければ実行され得ない状態となる。
【００３４】
また、表示領域２０１には、ユーザがチェックボタン２１１の状態を変更するための矢印カーソル２１２、つまり設定値の内容を変更するための矢印カーソル２１２が表示される。ユーザは、操作部６を操作することによって矢印カーソル２１２を表示領域２０１内で移動させ、複数のチェックボタン２１１を個別に選択することが可能である。
【００３５】
また、表示領域２０１には、機能設定項目ごとに、名称２１０及びチェックボタン２１１と並んでヘルプボタン２１３が表示される。このヘルプボタン２１３は、対応する名称２１０が示す機能設定項目の説明を表示するためのボタンであって、上述の矢印カーソル２１２で選択することができる。
【００３６】
さらに表示領域２０１には設定完了ボタン２１４が表示される。この設定完了ボタン２１４は、設定値を確定するためのボタンであって、設定完了ボタン２１４が選択されると、表示されている設定内容が本情報機器１００の動作に反映される。設定完了ボタン２１４は、上述の矢印カーソル２１２で選択することができる。
【００３７】
図５を参照して、ステップｓ７の実行後、ステップｓ８においてユーザが表示されている機能設定項目の内容が理解できると判断し、その後のステップｓ９において、ユーザがある機能設定項目に対する設定値を変更したいと判断すると、ステップｓ１３において、ユーザは、操作部６を操作することによって、変更対象の設定値を示すチェックボタン２１１を矢印カーソル２１２が示すように当該矢印カーソル２１２を移動させ、その後、当該チェックボタン２１１を選択する操作を操作部６に対して行う。そうすると、その操作情報がメイン制御部４０に入力される。その後、ステップｓ１４において、メイン制御部４０は、設定情報記憶部７２に記憶されている設定値候補データを変更して該当する機能設定項目に対する変更後の設定値の情報を設定情報記憶部７２に記憶するとともに、表示制御部４１に対して、該当する機能設定項目の設定値を変更する旨を通知する。表示制御部４１は、メイン制御部４０からの通知に従って、変更対象のチェックボタン２１１の表示を表示部５に変更させる。これにより、ユーザが希望する内容に設定値が変更される。
【００３８】
一方で、ステップｓ８において、ユーザがある機能設定項目の内容が理解できなと判断すると、ステップｓ１１において、ユーザは、操作部６を操作することによって、対象の機能設定項目を示す名称２１０とともに並んで表示されているヘルプボタン２１３を矢印カーソル２１２が示すように当該矢印カーソル２１２を移動させ、その後、当該ヘルプボタン２１３を選択する操作を操作部６に対して行う。そうすると、その操作情報がメイン制御部４０に入力される。その後、ステップｓ１２において、メイン制御部４０は、設定情報記憶部７２から、選択されたヘルプボタン２１３に対応するヘルプデータを読み出して表示制御部４１に入力する。表示制御部４１は、受け取ったヘルプデータが示す内容を表示部５に表示させる。これにより、ユーザは、不明であった機能設定項目の内容を理解することができる。
【００３９】
図８はヘルプデータの表示例を示す図である。図８に示されるように、機能設定項目の説明２０６は、例えば、表示画面５ａにおける上方の表示領域２００において、性格診断コメント２０５に対して上書き表示される。図８の機能設定項目の説明２０６では、「閲覧時毎回パスワードロック」の詳細な説明が示されている。
【００４０】
図５を参照して、ステップｓ９において、ユーザが現在表示されている設定値で問題ないと判断すると、ユーザは操作部６を操作することによって、設定完了ボタン２１４を矢印カーソル２１２が示すように当該矢印カーソル２１２を移動させ、その後、設定完了ボタン２１４を選択する操作を操作部６に対して行う。そうすると、その操作情報がメイン制御部４０に入力され、メイン制御部４０は、ステップｓ１０において、設定情報記憶部７２の記憶領域７２ｃに記憶されている設定値候補データを記憶領域７２ｂに上書きして最終的な設定値を本情報機器１００に登録する。これにより、アンケート設定システムの動作が完了し、以後の本情報機器１００の動作は、記憶領域７２ｂに記憶されている設定値に基づいて行われる。
【００４１】
次に、上述のステップｓ６での設定値決定方法について詳細に説明する。図９は当該設定値決定方法を示す図である。図９に示されるように、アンケート関連情報記憶部７０に記憶されている関連付けデータ３００には、各質問に対応して、複数の機能設定項目のそれぞれに個別に対応した重み付けポイント３０１が含まれている。重み付けポイント３０１は、対応する質問に対する回答が「Ｙｅｓ」の場合のポイント３０１ｙと「Ｎｏ」の場合のポイント３０１ｎとで構成されている。
【００４２】
例えば「近頃、齢をとったと感じるか？」という質問に対して「Ｙｅｓ」の回答を想定する場合には、「Ｙｅｓ→老眼であろう→ディスプレイを見やすくする→大きめの文字サイズを設定する」といった類推を論理的に行い、その類推結果に基づいて機能設定項目ごとにポイント３０１ｙの値を決定することができる。ポイント３０１ｎについても同様である。なお、質問内容とは全く関係しない機能設定項目に対応するポイント３０１ｎ，３０１ｙの値はともに零に設定される。本実施の形態では、設定値を決定する際に不特定多数の人間の回答結果を集計する必要がないため、本実施の形態に係るアンケートは狭義のアンケートとは異なる。
【００４３】
設定値決定部４３は、設定値決定用アンケートの全質問に対する回答を受け取ると、ステップｓ６において、当該質問のそれぞれに関して、各機能設定項目に対応したポイント３０１ｎ，３０１ｙのうち受け取った回答に応じた方のポイントをアンケート関連情報記憶部７０の記憶領域７０ｃから読み出して、機能設定項目ごとに全質問に対する読み出したポイントの総和を求める。図９に示される例では、質問Ｎｏ．１〜Ｎｏ．３に対する回答はそれぞれ「Ｙｅｓ」、「Ｎｏ」、「Ｙｅｓ」であるため、「登録外着信拒否設定」、「伝言メモ移行時間設定」及び「電話着信音量設定」に関するポイントの総和はそれぞれ「＋４」、「−１」、「＋３」となる。
【００４４】
アンケート関連情報記憶部７０には、図９に示されるように、設定値決定部４３で求められるポイントの総和に基づいて各種機能設定項目に対する設定値を決定するための基準を示す決定基準情報４００も記憶されており、設定値決定部４３は、当該決定基準情報４００をアンケート関連情報記憶部７０から読み出す。そして、設定値決定部４３は、決定基準情報４００に基づいて、機能設定項目ごとに、求めたポイントの総和から設定値を決定する。決定基準情報４００では、機能設定項目ごとにポイントの総和と採用すべき設定値との対応関係が示されており、ポイントの総和が求まれば設定値が決定されるようになっている。設定値決定部４３は、当該対応関係を参照することによって、機能設定項目ごとに、求めたポイントの総和に応じて設定値を決定する。
【００４５】
図９に示される例では、ポイントの総和が取り得る数値範囲が、「−２以下」、「−１〜１」、「２以上」の３つの範囲に区分されており、それぞれの区分に応じて機能設定項目ごとに採用すべき設定値が決められている。そして、図９の例では、上述のように「登録外着信拒否設定」に関する総和が「＋４」であるため、その設定値は「ＯＮ」となり、「伝言メモ移行時間設定」に関する総和が「−１」であるため、その設定値は「１０秒」となり、「電話着信音量設定」に関するポイントの総和が「＋３」であるため、その設定値は「無音」となる。
【００４６】
ステップｓ６においては、このようにして複数の機能設定項目に対する設定値が決定され、その後、当該設定値の一覧が表示部５に表示される。
【００４７】
以上のように、本実施の形態に係る情報機器１００では、設定値決定用アンケートに対する回答操作に基づいて複数の機能設定項目に対する設定値が決定されるため、ユーザは、親和性の高いアンケートに回答するだけで煩雑な操作を行うことなく簡便に複数の機能設定項目に対する設定を行うことができる。
【００４８】
また、本実施の形態では、複数の機能設定項目に対する設定値が表示部５に表示されるため、ユーザは設定内容を視認することができ、容易に理解することができる。
【００４９】
また、本実施の形態では、操作部６は、表示部５が表示している設定値に対する修正操作を受け付け、設定値決定部４３は、当該修正操作に応じて設定値を修正している。そのため、ユーザは操作部６を操作することによって簡単に設定値を修正することができる。よって、ユーザは機能設定項目に関してより望ましい設定内容に変更することができる。
【００５０】
また、本実施の形態では、機能設定項目に対する設定値とともに当該機能設定項目の説明が表示されるため、ユーザは、表示されている設定値によってどのような機能設定が行われるかを容易に理解することができる。
【００５１】
また、本実施の形態では、機能設定項目に対する設定値とともに性格診断コメントが表示されるため、ユーザとって親しみやすい情報機器１００を提供することができる。
【００５２】
なお、本実施の形態では、本情報機器１００が有するすべての機能設定項目に対して１種類の設定値決定用アンケートを用意したが、本情報機器１００が有する機能設定項目を複数のグループに分割し、当該グループごとに設定値決定用アンケートを用意しても良い。例えば、セキュリティ設定に関する一群の機能設定項目に対応したセキュリティ設定用アンケートや、電話帳設定に関する一群の機能設定項目に対応した電話帳設定用アンケート、あるいは表示画面設定に関する一群の機能設定項目に対応した表示画面設定用アンケートを準備し、それらのアンケートをユーザが任意に選択できるようにする。そして、これらのアンケートのうちユーザがあるアンケートを選択すると、当該アンケートを表示して、ユーザに回答を促す。ユーザが表示されたアンケートに回答すると、当該回答に基づいて当該アンケートに対応した一群の機能設定項目に対する設定値を決定して表示する。そして、別のアンケートが選択されると、同様に、当該アンケートを表示して、当該アンケートに対する回答が入力されると、当該回答に基づいて当該アンケートに対応した一群の機能設定項目に対する設定値を決定して表示する。このように、関連性のある一群の機能設定項目単位で設定値を決定しても良い。
【００５３】
また、本実施の形態では、性格診断コメントは、設定値決定用アンケートに対する回答の種類ごとに予め準備されていたが、性格診断コメント取得部４２において、設定値決定用アンケートに対する回答に応じて性格診断コメントを生成しても良い。例えば、設定値決定用アンケートに対する回答に応じて、予め用意されている短いフレームを所定の規則に従って複数組み合わせて性格診断コメントを生成しても良い。
【００５４】
また、本実施の形態では、ユーザの操作部６に対する操作によってアンケート設定システムを起動しているが、これに加えて、ユーザが本情報機器１００を購入した後の初回起動時には必ずアンケート設定システムが起動するようにしても良い。
【図面の簡単な説明】
【００５５】
【図１】本発明の実施の形態に係る情報機器の構成を示すブロック図である。
【図２】本発明の実施の形態に係る制御部及び記憶部の機能ブロックを示すブロック図である。
【図３】本発明の実施の形態に係るアンケート関連情報記憶部の構成を示すブロック図である。
【図４】本発明の実施の形態に係る設定情報記憶部の構成を示すブロック図である。
【図５】本発明の実施の形態に係る情報機器での機能設定方法を示すフローチャートである。
【図６】本発明の実施の形態に係る表示部での設定値決定用アンケートの表示例を示す図である。
【図７】本発明の実施の形態に係る表示部での性格診断コメント及び設定値一覧の表示例を示す図である。
【図８】本発明の実施の形態に係る表示部でのヘルプデータの表示例を示す図である。
【図９】本発明の実施の形態に係る設定値決定部での設定値決定方法を示す図である。
【符号の説明】
【００５６】
５  表示部、６  操作部、４２  性格診断コメント取得部、４３  設定値決定部、７０  アンケート関連情報記憶部、１００  情報機器、２０５  性格診断コメント、２０６  機能設定項目の説明、２１１  チェックボタン。
【図１】
2007226694.tif 000003
【図２】
2007226694.tif 000004
【図３】
2007226694.tif 000005
【図４】
2007226694.tif 000006
【図５】
2007226694.tif 000007
【図６】
2007226694.tif 000008
【図７】
2007226694.tif 000009
【図８】
2007226694.tif 000010
【図９】
2007226694.tif 000011